【事件の表示】
　特願２００６−５０８４６１「プレイリストに基づくユーザプロファイルを生成する方法及び装置」拒絶査定不服審判事件〔平成１６年１２月　９日国際公開、ＷＯ２００４／１０７７５７、平成１９年１０月　４日国内公表、特表２００７−５２８０３８〕について、次のとおり審決する。
【結　論】
　本件審判の請求は、成り立たない。
【理　由】
第１　手続の経緯
　
　本願は、２００４年５月２６日（パリ条約による優先権主張外国庁受理２００３年６月３日、欧州特許庁）を国際出願日とする出願であって、平成１７年１２月２日に特許法第１８４条の５第１項に規定される書面が提出されるとともに、同日付けで特許法第１８４条の４第１項の規定による国際出願日における明細書、請求の範囲、図面（図面の中の説明に限る。）及び要約の翻訳文が提出され、平成１９年５月２３日付けで審査請求がなされ、平成２１年１１月２６日付けで拒絶理由通知（同年１２月１日発送）がなされ、平成２２年６月１日付けで意見書が提出されるとともに、同日付けで手続補正がなされたが、同年６月１７日付けで拒絶査定（同年６月２２日謄本送達）がなされ、これに対して、同年９月２２日付けで審判請求がなされるとともに、同日付けで手続補正がなされたものである。
　そして、平成２２年１２月２２日付けで審査官により特許法第１６４条第３項に定める報告（前置報告）がなされ、平成２４年４月６日付けで当審により特許法第１３４条第４項の規定に基づく審尋（同年４月１０日発送）がなされ、同年１０月１０日付けで回答書の提出があったものである。
　
　
第２　平成２２年９月２２日付けの手続補正についての補正却下の決定
　
［補正却下の決定の結論］
　
　平成２２年９月２２日付けの手続補正を却下する。
　
［理由］
　
１．補正の内容
　
　平成２２年９月２２日付けの手続補正（以下、「本件補正」という。）の内容は、平成２２年６月１日付けの手続補正により補正された特許請求の範囲の請求項１ないし請求項８の記載
　
「　【請求項１】
　所与のユーザの操作により生成される少なくとも１つのプレイリストを有する第１の一組の楽曲のプレイリストを自動取得したメディア装置上において前記所与のユーザのユーザプロファイルを生成する方法であって、
　ＣＰＵが、前記第１の一組のプレイリストを解析し、前記プレイリストの性質を表現するいくつかのプレイリスト特徴を導出するステップと、
　前記ＣＰＵが、前記解析された第１の一組のプレイリストと前記導出されたプレイリスト特徴とに基づき前記ユーザプロファイルを生成するステップと、
　前記ＣＰＵが、前記ユーザプロファイルに基づき少なくとも１つの推奨されたプレイリストを生成するステップと、
を有することを特徴とする方法。
　　【請求項２】
　請求項１記載の方法であって、さらに、
　前記ＣＰＵが、前記ユーザの操作により生成される少なくとも１つのプレイリストを有する第２の一組のプレイリストから前記第１の一組のプレイリストを選択するステップを有することを特徴とする方法。
　　【請求項３】
　請求項１または２記載の方法であって、
前記いくつかのプレイリスト特徴は、
　テンポ変化を表す特徴と、
　何人かのアーチストを表す特徴と、
　相対テンポ差を表す特徴と、
　１以上の選好されるジャンルを表す１以上の特徴と、
　いくつかのジャンル変更を表す特徴と、
　あるジャンル変更の有無を表す特徴と、
　楽曲間の真偽ジャンル変更の変更数を表す特徴と、
の１以上を有することを特徴とする方法。
　　【請求項４】
　請求項１乃至３何れか一項記載の方法であって、
　前記第１の一組のプレイリストの各プレイリストは、メタデータを有するコンテンツアイテムの順序付けされたリストを有することを特徴とする方法。
　　【請求項５】
　請求項４記載の方法であって、
　前記メタデータは、タイトル、アーチスト、ジャンル、テンポ及びリリース年を有することを特徴とする方法。
　　【請求項６】
　請求項１乃至５何れか一項記載の方法であって、
　前記メディア装置は、ジュークボックス、セットトップボックス、テレビ、ＰＣ、ＤＶＤプレーヤー、（携帯型）ハードディスクレコーダ、ソリッドステート装置、ラジオまたはＶＣＲであることを特徴とする方法。
　　【請求項７】
　所与のユーザの操作により生成される少なくとも１つのプレイリストを有する第１の一組の楽曲のプレイリストを自動取得し、前記所与のユーザのユーザプロファイルを生成するメディア装置であって、
　前記第１の一組のプレイリストを解析し、前記プレイリストの性質を表現するいくつかのプレイリスト特徴を導出し、
　前記解析された第１の一組のプレイリストと前記導出されたプレイリスト特徴とに基づき前記ユーザプロファイルを生成し、
　前記ユーザプロファイルに基づき少なくとも１つの推奨されたプレイリストを生成する、
よう動作するＣＰＵを有することを特徴とするメディア装置。
　　【請求項８】
　コンピュータプログラムがプログラマブル装置上で実行されると、請求項１乃至６何れか一項記載の方法を実行するためのコンピュータ可読媒体に格納されたプログラムコードを有することを特徴とするコンピュータプログラム。」（以下、この特許請求の範囲に記載された請求項を「補正前の請求項」という。）
　
を、
　
「　【請求項１】
　所与のユーザの操作により生成される少なくとも１つの
楽曲の
、前記楽曲が再生される前に
　ＣＰＵが、前記第１の一組のプレイリストを解析し、前記プレイリストの性質を表現するいくつかのプレイリスト特徴を導出するステップと、
　前記ＣＰＵが、前記解析された第１の一組のプレイリストと前記導出されたプレイリスト特徴とに基づき前記ユーザプロファイルを生成するステップと、
　前記ＣＰＵが、前記ユーザプロファイルに基づき少なくとも１つの推奨されたプレイリストを生成するステップと、
を有することを特徴とする方法。
　　【請求項２】
　請求項１記載の方法であって、さらに、
　前記ＣＰＵが、前記ユーザの操作により生成される少なくとも１つのプレイリストを有する第２の一組のプレイリストから前記第１の一組のプレイリストを選択するステップを有することを特徴とする方法。
　　【請求項３】
　請求項１または２記載の方法であって、
前記いくつかのプレイリスト特徴は、
　テンポ変化を表す特徴と、
　何人かのアーチストを表す特徴と、
　相対テンポ差を表す特徴と、
　１以上の選好されるジャンルを表す１以上の特徴と、
　いくつかのジャンル変更を表す特徴と、
　あるジャンル変更の有無を表す特徴と、
　楽曲間の真偽ジャンル変更の変更数を表す特徴と、
の１以上を有することを特徴とする方法。
　　【請求項４】
　請求項１乃至３何れか一項記載の方法であって、
　前記第１の一組のプレイリストの各プレイリストは、メタデータを有するコンテンツアイテムの順序付けされたリストを有することを特徴とする方法。
　　【請求項５】
　請求項４記載の方法であって、
　前記メタデータは、タイトル、アーチスト、ジャンル、テンポ及びリリース年を有することを特徴とする方法。
　　【請求項６】
　請求項１乃至５何れか一項記載の方法であって、
　前記メディア装置は、ジュークボックス、セットトップボックス、テレビ、ＰＣ、ＤＶＤプレーヤー、（携帯型）ハードディスクレコーダ、ソリッドステート装置、ラジオまたはＶＣＲであることを特徴とする方法。
　　【請求項７】
　所与のユーザの操作により生成される少なくとも１つの
楽曲の
、前記楽曲が再生される前に
　前記第１の一組のプレイリストを解析し、前記プレイリストの性質を表現するいくつかのプレイリスト特徴を導出し、
　前記解析された第１の一組のプレイリストと前記導出されたプレイリスト特徴とに基づき前記ユーザプロファイルを生成し、
　前記ユーザプロファイルに基づき少なくとも１つの推奨されたプレイリストを生成する、
よう動作するＣＰＵを有することを特徴とするメディア装置。
　　【請求項８】
　コンピュータプログラムがプログラマブル装置上で実行されると、請求項１乃至６何れか一項記載の方法を実行するためのコンピュータ可読媒体に格納されたプログラムコードを有することを特徴とするコンピュータプログラム。」（以下、この特許請求の範囲に記載された請求項を「補正後の請求項」という。）
　
に補正するものである。
　
　そして、本件補正は、本件補正前の請求項１及び請求項７記載の発明を特定するために必要な事項を限定するものであって、その補正前の当該請求項に記載された発明とその補正後の当該請求項に記載される発明の産業上の利用分野及び解決しようとする課題が同一であるもの（以下、「限定的減縮」という。）に該当し、特許法第１７条の２第４項第２号に掲げられる事項を目的とするものであると解することができる。
　
２．独立特許要件
　
　以上のように、本件補正後の請求項１に記載された発明（以下、「本願補正発明」という。）は、補正前の請求項１に対して、限定的減縮を行ったものと認められる。そこで、本願補正発明が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）以下に検討する。
　
（１）補正後の発明
　
　本件補正により、本願補正発明は、前記「１．補正の内容」の補正後の請求項１に記載されたとおりのものである。
　
（２）引用文献に記載されている技術的事項及び引用発明の認定
　
　本願の出願前に頒布され、原審の拒絶の査定の理由である上記平成２１年１１月２６日付けの拒絶理由通知において引用された、特開２００２−１４９６９３号公報（平成１４年５月２４日出願公開。以下、「引用文献」という。）には、図面とともに、以下の技術的事項が記載されている。
（当審注：下線は、参考のために当審で付与したものである。）
　
Ａ　「【請求項１】  複数のローカル端末になされるユーザの視聴行動の履歴を管理センタで集中管理する視聴ログ管理方法であって、
ユーザの視聴履歴のログデータを記録して保管し、
保管していた前記ログデータの全てを前記管理センタに送信する
【請求項２】  送信された前記
ログデータが分析されてユーザの嗜好データが生成されることを特徴とする
　
Ｂ　「【０００４】
【発明が解決しようとする課題】本発明は上記した情報通信環境と端末装置要素技術に基づいてなされたものであり、ユーザ端末等のローカルで行われるパッケージメディア視聴のログを記録して送信し管理センタに収集するシステムを構築し、さらに、
センターにおいて収集したログを分析する手段を設けることにより、ユーザ個々の音楽
嗜好を把握
　
Ｃ　「【００２７】
図１において、１は、
管理センタサーバであり、通信ネットワーク４を介して接続される一般ユーザが持つ複数の端末装置３と接続される。
【００２８】端末装置３は、ここではホームサーバのようなインテリジェント機能を備えたものを想定し、
ＣＤ、ＤＶＤ（Digital  Versatile  Disk）等のパッケージメディア、あるいは通信ネットワーク４を介して配信される音楽
等の視聴履歴をログデータ（視聴ログ）として都度記録しておく
　
Ｄ　「【００３１】管理センタサーバ１は、通信インタフェース部１０、視聴ログ収集部１１、広告情報提供部１２、顧客管理ＤＢ１３、パッケージ情報ＤＢ１２３、広告素材ＤＢ１２４、から成る。視聴ログ収集部１１は、端末装置３に記録された視聴ログを通信ネットワーク４、通信インタフェース部１０経由でバッチ収集して広告情報提供部１２に供給する。
視聴ログの収集は、各端末に対して定期又は不定期に実行される
収集実行のスケジュールは視聴ログ収集部１１において管理される。
　
Ｅ　「【００３３】ログ分析部１２１の内部構成は図３に、プロモーションメール作成部１２２の内部構成は、図４にそれぞれ示されている。
ログ分析部１２１は、パッケージ情報ＤＢ１２３を参照してその属性データを得るパッケージ情報ＤＢ参照部２０１と、パッケージ情報ＤＢ参照部２０１によって得られる属性データに基づき視聴ログの再生状況のそれぞれに重み付けを付したポイントによりユーザの嗜好を把握するログ分析本体部２００と、ログ分析本体部２００による分析結果を嗜好データに反映させる嗜好データ生成部２０２から成る。
　
Ｆ　「【００３４】
プロモーションメール作成部１２２は、広告素材ＤＢ１２４を参照することにより、ログ分析部１２１から出力される嗜好データに応じて広告素材を選別し、最適な広告コンテンツを得る広告素材ＤＢ参照部３０１
　
Ｇ　「【００４０】
視聴ログ一例を図７に示す。図７は、パッケージメディアとしてＣＤを例示しており、ここでは、日付、再生時間、ディスクＩＤ、楽曲番号、楽曲時間、各楽曲毎の視聴時間、録音の有無に関する情報が視聴ログとして採取されるものとする。
　
Ｈ　「【００４５】
ログ分析部１２１では、まず、
、ディスクＩＤから楽曲名、アーティスト名等を知る。そして、
、一定の規則に基づいた嗜好ポイントを付加していき、ユーザの好みのアーティスト、楽曲等を探る
。ここでお気に入り度を分析することでユーザの音楽嗜好を把握し、
嗜好データを生成する。
　
Ｊ　「【００５１】
なお、本発明実施形態においては個人プロモーション広告の作成につき、広告コンテンツを作成したメールに添付する形態のみ示したが、これに制限されることなく、例えば、チャート情報、新譜情報、コンサート情報、音楽配信情報等の対応メニューを送り込み、ユーザの更なる選択操作により対応する広告コンテンツの提供を可能とすることで、ユーザが希望するＣＤ等のパッケージメディア、チケット通販や音楽配信等のサービスができ、一層効率的な販促が可能となる。
　
（ア）上記Ａの「ユーザの視聴履歴のログデータを記録して保管し、…（中略）…保管していた前記ログデータの全てを前記管理センタに送信する」、「ログデータが分析されてユーザの嗜好データが生成されることを特徴とする」との記載、上記Ｂの「センターにおいて収集したログを分析する手段を設けることにより、ユーザ個々の音楽…（中略）…嗜好を把握」との記載、上記Ｃの「図１において、１は、…（中略）…管理センタサーバであり、通信ネットワーク４を介して接続される一般ユーザが持つ複数の端末装置３と接続される。」、「ＣＤ、ＤＶＤ（Digital  Versatile  Disk）等のパッケージメディア、あるいは通信ネットワーク４を介して配信される音楽…（中略）…等の視聴履歴をログデータ（視聴ログ）として都度記録しておく」との記載、上記Ｄの「視聴ログの収集は、各端末に対して定期又は不定期に実行される」との記載、そして、ユーザの視聴履歴のログデータは、ユーザの何らかの操作の結果として生成されるものであることからすると、引用文献には、
　ユーザの操作により生成される音楽のログデータを、定期又は不定期に収集した（端末装置とネットワークを介して接続される管理センタの）管理サーバ装置上においてユーザの嗜好データを生成する方法
が記載されていると解される。
　そして、サーバがＣＰＵを有し、当該ＣＰＵにより各処理が実行されることは自明の事項である。
　
（イ）上記Ｅの「ログ分析部１２１は、パッケージ情報ＤＢ１２３を参照してその属性データを得るパッケージ情報ＤＢ参照部２０１と、パッケージ情報ＤＢ参照部２０１によって得られる属性データに基づき視聴ログの再生状況のそれぞれに重み付けを付したポイントによりユーザの嗜好を把握するログ分析本体部２００と、ログ分析本体部２００による分析結果を嗜好データに反映させる嗜好データ生成部２０２から成る。」との記載、上記Ｈの「ログ分析部１２１では、まず、…（中略）…、ディスクＩＤから楽曲名、アーティスト名等を知る。そして、…（中略）…、一定の規則に基づいた嗜好ポイントを付加していき、ユーザの好みのアーティスト、楽曲等を探る…（中略）…。ここでお気に入り度を分析することでユーザの音楽嗜好を把握し、…（中略）…嗜好データを生成する。」との記載からすると、引用文献には、
　ＣＰＵが、ログデータを分析し、ユーザの音楽嗜好（好みのアーティストや楽曲等）を把握するステップと、
　ＣＰＵが、把握されたユーザの音楽嗜好に基づきユーザの嗜好データを生成するステップ
が記載されていると解される。
　
（ウ）上記Ｆの「プロモーションメール作成部１２２は、広告素材ＤＢ１２４を参照することにより、ログ分析部１２１から出力される嗜好データに応じて広告素材を選別し、最適な広告コンテンツを得る広告素材ＤＢ参照部３０１」との記載、上記Ｊの「なお、本発明実施形態においては個人プロモーション広告の作成につき、広告コンテンツを作成したメールに添付する形態のみ示したが、これに制限されることなく、例えば、チャート情報、新譜情報、コンサート情報、音楽配信情報等の対応メニューを送り込み、ユーザの更なる選択操作により対応する広告コンテンツの提供を可能とすることで、ユーザが希望するＣＤ等のパッケージメディア、チケット通販や音楽配信等のサービスができ、一層効率的な販促が可能となる。」との記載からすると、引用文献には、
　ＣＰＵが、ユーザの嗜好データに基づき少なくとも１つのユーザに特化した個人向け音楽配信情報を生成するステップ
が記載されていると解される。
　
　以上、（ア）ないし（ウ）で指摘した事項から、引用文献には、次の発明（以下、「引用発明」という。）が記載されているものと認める。
　
　ユーザの操作により生成される音楽のログデータを、定期又は不定期に収集した管理サーバ装置上においてユーザの嗜好データを生成する方法であって、
　ＣＰＵが、前記ログデータを分析し、ユーザの音楽嗜好（好みのアーティストや楽曲等）を把握するステップと、
　前記ＣＰＵが、前記把握されたユーザの音楽嗜好に基づき前記ユーザの嗜好データを生成するステップと、
　前記ＣＰＵが、前記ユーザの嗜好データに基づき少なくとも１つのユーザに特化した個人向け音楽配信情報を生成するステップと、
を有することを特徴とする方法。
　
（３）参考文献に記載されている技術的事項
　
（３−１）参考文献１
　
　特開２００３−１５６６６号公報（平成１５年１月１７日出願公開。以下、「参考文献１」という。）には、図面とともに、以下の技術的事項が記載されている。
　
Ｋ　「【０００１】
【発明の属する技術分野】本発明は、オーディオ情報を提供する対象のイメージや利用者の嗜好に適したオーディオ情報を提供するプレイリスト生成装置、オーディオ情報提供装置、オーディオ情報提供システムおよびその方法、プログラム、記録媒体に関する。」
　
Ｌ　「【００３２】（実施の形態１）図１Ａに、本発明の実施の形態１におけるオーディオ情報提供装置１０００を示す。オーディオ情報提供装置１０００は、プレイリスト生成装置１００１と、再生装置７０とを備える。プレイリスト生成装置１００１は、再生装置７０によって再生されるべき１組のオーディオ情報の順序を示すプレイリストを生成する。再生装置７０は、プレイリストに示される順序に従って１組のオーディオ情報を再生する。本発明において、オーディオ情報は、楽曲、音声、効果音等のオーディオコンテンツを含む情報を意味する。」
　
Ｍ　「【０１１９】（実施の形態３）図１６に、本発明の実施の形態３におけるオーディオ情報提供システム３０００を示す。
【０１２０】オーディオ情報提供システム３０００は、ネットワーク１００と、サーバ１１０と、パソコンやミュージックサーバ等の端末１２０とを備える。オーディオ情報提供システム３０００では、端末１２０にオーディオ情報を提供する対象の条件を入力すると、入力した条件に適したプレイリストをサーバ１１０側で自動的に生成して端末１２０に配信する。」
　
（３−２）参考文献２
　
　特開２００２−３００４８４号公報（平成１４年１０月１１日出願公開。以下、「参考文献２」という。）には、図面とともに、以下の技術的事項が記載されている。
　
Ｎ　「【００３５】図１は、本実施の形態の放送受信端末装置の構成を示すブロック図である。この放送受信端末装置は、番組情報１０、受信手段１１、番組選択情報１２、嗜好解析手段１３、優先度設定手段１４、記録手段１５、番組記録媒体１６を構成要素としている。受信手段１１は、番組情報受信手段１１０と番組情報記録媒体１１１とを具備し、嗜好解析手段１３は、番組選択情報取得手段１３０と視聴者嗜好解析手段１３１と視聴者嗜好情報記録媒体１３２とを具備する。また、優先度設定手段１４は、番組検索手段１４０と予約情報記録手段１４１と予約情報記録媒体１４２とを具備し、記録手段１５は、番組記録判定手段１５０と記録精度設定手段１５１と番組記録手段１５２とを具備する。
…（中略）…
【００４０】番組選択情報１２は、視聴者がどの番組を選択したかの情報であり、リアルタイムに番組を視聴している場合には現在時刻と選択されたチャンネル情報等であり、視聴者が記録予約を行った場合には記録開始時刻、記録終了時刻、チャンネル情報等である。
【００４１】嗜好解析手段１３は、視聴者からの入力を基にして視聴者が嗜好する番組名やジャンル、出演者といったパラメータに対して優先度を設定し、記録する。
…（中略）…
【００４５】優先度設定手段１４は、嗜好解析手段１３における視聴者嗜好情報記録媒体１３２に記録された視聴者の嗜好情報と受信手段１１における番組情報記録媒体１１１に記録された番組情報を用いて視聴者の嗜好に合わせた記録予約を設定する。」
　
（３−３）参考文献３
　
　特開平１０−１７４０３７号公報（平成１０年６月２６日出願公開。以下、「参考文献３」という。）には、図面とともに、以下の技術的事項が記載されている。
　
Ｐ　「【００７２】実施の形態４
上記実施の形態１、２および３による情報受信装置は、いずれも番組の放送時間の変更による予約記録目的番組の記録時間の重複に係わる問題の解決に関するものである。本実施の形態４による情報受信装置は、サービス付加情報で新しく紹介された番組を記録予約するか否かの判断を情報受信装置が自動的に行い、その結果を実行するものである。
【００７３】本情報受信装置は、請求項４に記載の情報受信装置に、過去に記録予約した番組のジャンルに関する情報を記録し、それを分析してユーザの視聴傾向を調査する視聴傾向調査手段３０を追加するとともに、上記比較・決定手段２３ｇにサービス付加情報に付加された番組のジャンルに関する情報と該視聴傾向調査手段による視聴傾向とを比較し、その結果に基づいて該番組を記録予約するか否かを判断する機能を追加したものである。
【００７４】本情報受信装置の動作について、その特徴点のみを以下に記述する。サービス付加情報の送り手がその番組のジャンルに関する情報を記載したサービス付加情報を受信し、その番組のジャンル情報を取り出す（図１６のステップ４１）。
【００７５】上記視聴傾向調査手段３０は、過去に記録予約した番組のジャンルの分析を行い、その記録予約の頻度の高いジャンルに高い記録優先順位を付加し（図１６のステップ４２）、当該ジャンル別記録予約優先順位を用いて、記録予約するジャンルを決定する（図１６のステップ４３）。本情報受信装置が新しいサービス付加情報を受信した時、上記比較・決定手段２３ｇが当該サービス付加情報のジャンルが上記記録予約するジャンルに含まれているか否かを判断し（図１６のステップ４４）、その判断結果に基づいて記録予約するか否かを判断し、記録予約をする時は、ＥＰＧの当該番組のセルに記録予約の記号を付すとともに（図１６のステップ４６）、予約記録目的番組の内容を記載した番組記録予約情報を作成する（図１６のステップ４７）。従って、ユーザが記録予約の判断およびその設定操作を行わなくても、ユーザの好みに合った番組の記録予約、従ってその番組の記録ができる。尚、前記ステップ４４で記録予約を行わないことを決定したときは、前記取り出したジャンル情報は放棄される（図１６のステップ４５）。また、記録する番組のジャンルはユーザが直接入力することもできる。」
　
（３−４）参考文献４
　
　国際公開第０３／０１９５６０号（２００３年３月６日国際公開。以下、「参考文献４」という。）には、図面とともに、以下の技術的事項が記載されている。
　
Ｑ　「1. A method for creating playlists, comprising;
　aggregating data collected from users related to recordings possessed by the users;
　creating attributes for the recordings; and
　generating playlists based on the attributes and user input.」（３０頁３〜７行）
（当審訳：
１．プレイリストを作成する方法であって、
　　ユーザーが所有する録音に関連する、前記ユーザーから収集したデータを集約する工程と、
　　前記録音に関する属性を作成する工程と、
　　前記属性およびユーザー入力に基づいてプレイリストを生成する工程と、
　を含む方法。）
　
（４）本願補正発明と引用発明との対比
　
　本願補正発明と引用発明とを対比する。
　
（４−１）引用発明の「ユーザ」、「収集」、及び「ユーザの嗜好データ」は、本願補正発明の「所与のユーザ」、「取得」、及び「ユーザプロファイル」に相当する。また、引用発明の「音楽のログデータ」は、何らかのユーザの操作によって選択された楽曲のリストを視聴した結果であること、上記Ｇの「視聴ログ一例を図７に示す。図７は、パッケージメディアとしてＣＤを例示しており、ここでは、日付、再生時間、ディスクＩＤ、楽曲番号、楽曲時間、各楽曲毎の視聴時間、録音の有無に関する情報が視聴ログとして採取されるものとする。」との記載、及び関連する図７から、“楽曲リスト”ということができるから、本願補正発明の「楽曲のプレイリスト」に相当するといえる。そして、引用発明の「音楽のログデータを、定期又は不定期に収集」とは、上記Ｄの「収集実行のスケジュールは視聴ログ収集部１１において管理される。」との記載を参酌すると、自動的に収集されるものと解される。
　してみると、引用発明の「ユーザの操作により生成される音楽のログデータを、定期又は不定期に収集した管理サーバ装置上においてユーザの嗜好データを生成する方法」と、本願補正発明の「所与のユーザの操作により生成される少なくとも１つの楽曲のプレイリストを有する第１の一組の楽曲のプレイリストを、前記楽曲が再生される前に自動取得したメディア装置上において前記所与のユーザのユーザプロファイルを生成する方法」とは、ともに、“所与のユーザの操作により生成される少なくとも１つの楽曲のプレイリストを、自動取得した装置上において前記所与のユーザのユーザプロファイルを生成する方法”である点で共通するといえる。
　
（４−２）引用発明の「分析」は、本願補正発明の「解析」に相当する。そして、引用発明の「ログデータを分析し、ユーザの音楽嗜好（好みのアーティストや楽曲等）を把握する」における「ユーザの音楽嗜好」とは、ログデータから導出されるユーザの音楽嗜好であることから、楽曲リストであるログデータの性質を表現する特徴に他ならない。
　してみると、引用発明の「ＣＰＵが、前記ログデータを分析し、ユーザの音楽嗜好（好みのアーティストや楽曲等）を把握するステップ」と、本願補正発明の「ＣＰＵが、前記第１の一組のプレイリストを解析し、前記プレイリストの性質を表現するいくつかのプレイリスト特徴を導出するステップ」とは、ともに、“ＣＰＵが、前記楽曲リストを解析し、前記楽曲リストの性質を表現するいくつかの楽曲リスト特徴を導出するステップ”である点で共通する。
　
（４−３）引用発明の「把握されたユーザの音楽嗜好」は、本願補正発明の「導出されたプレイリスト特徴」に相当する。そして、引用発明の「ユーザの音楽嗜好」は、ログデータを分析することで把握されるものであることから、引用発明の「前記把握されたユーザの音楽嗜好に基づき前記ユーザの嗜好データを生成する」とは、前記分析されたログデータと前記把握されたユーザの音楽嗜好とに基づき前記ユーザの嗜好データを生成することに他ならない。
　したがって、引用発明の「前記ＣＰＵが、前記把握されたユーザの音楽嗜好に基づき前記ユーザの嗜好データを生成するステップ」と、本願補正発明の「前記ＣＰＵが、前記解析された第１の一組のプレイリストと前記導出されたプレイリスト特徴とに基づき前記ユーザプロファイルを生成するステップ」とは、ともに、“前記ＣＰＵが、前記解析された楽曲リストと前記導出された楽曲リスト特徴とに基づき前記ユーザプロファイルを生成するステップ”である点で共通する。
　
（４−４）引用発明の「ユーザに特化した個人向け音楽配信情報」とは、当該ユーザに推奨された音楽情報に他ならない。そして、本願補正発明の「プレイリスト」も音楽情報といえるものである。
　してみると、引用発明の「前記ＣＰＵが、前記ユーザの嗜好データに基づき少なくとも１つのユーザに特化した個人向け音楽配信情報を生成するステップ」と、本願補正発明の「前記ＣＰＵが、前記ユーザプロファイルに基づき少なくとも１つの推奨されたプレイリストを生成するステップ」とは、ともに、“前記ＣＰＵが、前記ユーザプロファイルに基づき少なくとも１つの推奨された音楽情報を生成するステップ”である点で共通するといえる。
　
　以上から、本願補正発明と引用発明とは、以下の点で一致し、また、以下の点で相違する。
　
（一致点）
　
　所与のユーザの操作により生成される少なくとも１つの楽曲のプレイリストを、自動取得した装置上において前記所与のユーザのユーザプロファイルを生成する方法であって、
　ＣＰＵが、前記楽曲リストを解析し、前記楽曲リストの性質を表現するいくつかの楽曲リスト特徴を導出するステップと、
　前記ＣＰＵが、前記解析された楽曲リストと前記導出された楽曲リスト特徴とに基づき前記ユーザプロファイルを生成するステップと、
　前記ＣＰＵが、前記ユーザプロファイルに基づき少なくとも１つの推奨された音楽情報を生成するステップと、
を有することを特徴とする方法。
　
（相違点１）
　
　ユーザプロファイルを生成する装置に関して、本願補正発明が、「メディア装置」であるのに対して、引用発明は、「管理サーバ装置」である点。
　
（相違点２）
　
　楽曲のプレイリストの取得に関して、本願補正発明が、「楽曲が再生される前に自動取得」するものであるのに対して、引用発明は、「定期又は不定期に収集」するものであるが、楽曲が再生される前に収集するかどうか不明である点。
　
（相違点３）
　
　ユーザプロファイルに基づき生成されるものとして、本願補正発明が、「推奨されたプレイリスト」であるのに対して、引用発明は、「ユーザに特化した個人向け音楽配信情報」である点。
　
（５）当審の判断
　
　上記相違点１ないし相違点３について検討する。
　
（５−１）相違点１について
　
　サーバを用いたシステム構成は、引用文献等を示すまでもなく、当該技術分野において、周知慣用技術にすぎず、そして、システム構成に際して、独立した装置で実行するように構成するか、ネットワークで接続されたサーバを用いて実行するように構成するかについては、設計の際に当業者が適宜選択すべき事項にすぎない。（必要であれば、上記参考文献１の上記Ｌ及びＭ参照。）
　してみれば、引用発明においても、端末装置上において音楽のログデータを分析してユーザの嗜好データを生成するように構成すること、すなわち、相違点１に係る構成とすることは、当業者が容易に想到し得たことである。
　
　よって、相違点１は格別なものではない。
　
（５−２）相違点２について
　
　一般に、ユーザの操作により生成された視聴リストに対して、視聴前に、様々な目的のために解析を行うことは、広く行われていることである。そして、視聴前に、視聴リストが視聴者の嗜好に合っているかどうか解析する技術についても周知技術（上記参考文献２の上記Ｎ参照。）である。また、視聴前に、過去の視聴記録を分析し、ユーザの視聴傾向を調査することで、当該視聴を行うか否かを自動的に判断する技術についても、周知技術（上記参考文献３のＰ参照。）である。
　してみれば、引用発明においても、音楽のログデータ（楽曲リスト）の収集タイミングとして、楽曲が再生される前に収集するように構成すること、すなわち、相違点２に係る構成とすることは、当業者が容易に想到し得たことである。
　
　よって、相違点２は格別なものではない。
　
（５−３）相違点３について
　
　ユーザの嗜好を解析して、推奨されるプレイリストを生成する技術については、当該技術分野において、慣用的に行われている技術にすぎない。（必要であれば、上記参考文献４の上記Ｑ参照。）
　してみれば、引用発明においても、ユーザの嗜好データを基に生成されるユーザに特化した個人向け音楽配信情報として、当該ユーザに推奨されるプレイリストとするように構成すること、すなわち、相違点３に係る構成とすることは、当業者が容易に想到し得たことである。
　
　よって、相違点３は格別なものではない。
　
（５−４）小括
　
　上記で検討したごとく、相違点１ないし相違点３は格別のものではなく、そして、これらの相違点を総合的に勘案しても、本願補正発明の奏する作用効果は、上記引用発明及び周知技術の奏する作用効果から予測される範囲内のものにすぎず、格別顕著なものということはできない。
　
　したがって、本願補正発明は、上記引用発明及び周知技術に基づいて、当業者が容易に発明をすることができたものであり、特許法第２９条第２項の規定により、特許出願の際独立して特許を受けることができない。　
　
３．むすび
　
　以上のように、本件補正は、上記「２．独立特許要件」で指摘したとおり、補正後の請求項１に記載された発明は、特許出願の際独立して特許を受けることができるものではないから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　よって、補正却下の決定の結論のとおり決定する。
　
　
第３　本願発明について 
　
１．本願発明
　
　平成２２年９月２２日付けの手続補正は上記のとおり却下されたので、本願の請求項１に係る発明（以下、「本願発明」という。）は、平成２２年６月１日付け手続補正書の特許請求の範囲の請求項１に記載された事項により特定される、以下のとおりのものである。
　
「所与のユーザの操作により生成される少なくとも１つのプレイリストを有する第１の一組の楽曲のプレイリストを自動取得したメディア装置上において前記所与のユーザのユーザプロファイルを生成する方法であって、
　ＣＰＵが、前記第１の一組のプレイリストを解析し、前記プレイリストの性質を表現するいくつかのプレイリスト特徴を導出するステップと、
　前記ＣＰＵが、前記解析された第１の一組のプレイリストと前記導出されたプレイリスト特徴とに基づき前記ユーザプロファイルを生成するステップと、
　前記ＣＰＵが、前記ユーザプロファイルに基づき少なくとも１つの推奨されたプレイリストを生成するステップと、
を有することを特徴とする方法。」
　
２．引用文献に記載されている技術的事項及び引用発明の認定
　
　原査定の拒絶の理由に引用された、引用文献およびその記載事項は、前記「第２　平成２２年９月２２日付けの手続補正についての補正却下の決定」の「２．独立特許要件」の「（２）引用文献に記載されている技術的事項及び引用発明の認定」に記載したとおりである。
　
３．対比・判断 
　
　本願発明は、前記「第２　平成２２年９月２２日付けの手続補正についての補正却下の決定」の「２．独立特許要件」で検討した本願補正発明から「楽曲の」及び「、前記楽曲が再生される前に」を削除したものである。
　
　そうすると、本願発明の発明特定事項を全て含む本願補正発明が、上記「第２　平成２２年９月２２日付けの手続補正についての補正却下の決定」の「２．独立特許要件」の「（３）参考文献に記載されている技術的事項」ないし「（５）当審の判断」に記載したとおり、引用発明及び周知技術に基づいて当業者が容易に発明をすることができたものであるから、本願発明も同様の理由により、引用発明及び周知技術に基づいて、当業者が容易に発明をすることができたものである。
　
４．むすび
　
　以上のとおり、本願の請求項１に係る発明は、特許法第２９条第２項の規定により特許を受けることができないものであるから、その余の請求項に係る発明について検討するまでもなく、本願は拒絶すべきものである。
　
　よって、結論のとおり審決する。